(57)【要約】      （修正有）【課題】蛇口を供水する過程において発生する過大な水量及び水圧による騒音及び水圧を調整できる静音及び調圧の多機能蛇口を提供する。【解決手段】静音性及び調圧の多機能蛇口は、調節部１と調節部に連通する流出部２とを備え、調節部は導引パイプと流量弁を有し、導引パイプ内の両端に通る流路が設置され、導引パイプの外周面に垂直する組穴が設置され、組穴が流路と相互に連通し、流量弁が組穴を介して流路内に挿入し導引パイプに設置され、流出部は流路の縮減される側に相互に連通され、または流出部が調節部の反対側に給水セット３が設置される仕組みを備えている。【選択図】図１
0003187887.tif 000002
【実用新案登録請求の範囲】
【請求項１】
調節部と該調節部に連通する流出部とを備え、
前記調節部は導引パイプと流量弁を有し、前記導引パイプ内の両端に通る流路を設置され、前記流路が前記導引パイプの片側から反対側に縮減され、前記導引パイプの外周面に垂直する組穴を設置され、前記組穴が前記流路と相互に連通し、前記流量弁が前記組穴を介して前記流路内に挿入し前記導引パイプに設置され、且つ前記流量弁は前記流路の流量を制御する、
前記流出部は前記流路の縮減される側に相互に連通され、または前記流出部が前記調節部の反対側に給水セットを設置されることを特徴とする静音性及び調圧の多機能蛇口。
【請求項２】
前記流量弁に設置する通路が前記流量弁の回転位置を調整する調整溝によって導引パイプの流路を連通するまたは止めになり、また流量弁の外周面の前記調整溝反対側に止め輪を設置し、前記流出部に設置するハンドルによって流量の開閉を調整することができるように構成させることを特徴とする請求項１に記載の静音性及び調圧の多機能蛇口。
【請求項３】
前記ハンドルは、十字型スイッチまたは横スイッチであることを特徴とする請求項１に記載の静音性及び調圧の多機能蛇口。
【請求項４】
前記流出部と前記給水セットに連結するナットをさらに設置し、前記ナットは通穴を設置し、且つ前記ナットの片側の前記通穴内壁に雌ネジを有し、前記ナットの内部に段差面を設けるによって前記雌ネジと連結し、前記ナットの反対側の外周に雄ネジを設置し、前記ナットの前記雌ネジにより前記流出部に螺合され、及び前記給水セットが前記ナットの前記雄ネジにより前記ナットと螺合するように構成させることを特徴とする請求項１乃至請求項３のいずれか一項に記載の静音性及び調圧の多機能蛇口。
【請求項５】
前記給水セットは、パッキンと、節水セットと、固定ナットとを備え、前記流出部に設置する前記固定ナットが固定穴を設置され、前記節水セットと前記パッキンは前記固定穴内に設置し、前記パッキンが前記節水セットと前記流出部の間に介設されるように構成させることを特徴とする請求項１乃至請求項３のいずれか一項に記載の静音性及び調圧の多機能蛇口。
【請求項６】
前記給水セットは、前記パッキンと、前記節水セットと、前記固定ナットとを備え、前記固定ナットは前記ナットの前記雄ネジと螺合され、且つ前記固定ナットは貫通する前記固定穴が設置され、前記節水セットと前記パッキンは前記固定穴内に設置し、前記パッキンが前記節水セットと前記ナットの間に介設されるように構成させることを特徴とする請求項４に記載の静音性及び調圧の多機能蛇口。
【請求項７】
前記給水セットはホース連結チューブであり、前記ホース連結チューブの片側が前記流出部の片側と螺合されて反対側がホースと連結され、及び前記ホース連結チューブと前記流出部の間に止水リングを設置するように構成させることを特徴とする請求項１乃至請求項３のいずれか一項に記載の静音性及び調圧の多機能蛇口。
【請求項８】
前記給水セットはホース連結チューブであり、前記ホース連結チューブの片側が前記ナットの前記雄ネジにより螺合されて反対側が前記ホースと連結され、及びホース連結チューブと前記ナットの間に前記止水リングを設置するように構成させることを特徴とする請求項４に記載の静音性及び調圧の多機能蛇口。
【請求項９】
前記給水セットは長柄ホース連結チューブであり、前記長柄ホース連結チューブの両側に延伸される固定ナット部と給水部が前記長柄ホース連結チューブを中心軸として垂直に両側で設置され、前記固定ナット部は前記流出部と螺合する、及び長柄ホース連結チューブと前記固定ナット部の間に前記止水リングを設置するように構成させることを特徴とする請求項１乃至請求項３のいずれか一項に記載の静音性及び調圧の多機能蛇口。
【請求項１０】
前記給水セットは長柄ホース連結チューブであり、前記長柄ホース連結チューブの両側に延伸される前記固定ナット部と前記給水部が前記長柄ホース連結チューブを中心軸として垂直に両側で設置され、前記雄ネジにより前記固定ナット部が前記ナットと螺合する、且つ前記ナットと前記固定ナット部の間に前記止水リングを設置するように構成させることを特徴とする請求項４に記載の静音性及び調圧の多機能蛇口。
【請求項１１】
前記流出部と前記調節部は、一体成形または螺合方式として組み立てが出来るように構成させることを特徴とする請求項１に記載の静音性及び調圧の多機能蛇口。
【考案の詳細な説明】
【技術分野】
【０００１】
本考案は、蛇口を供水する過程において発生する水量による騒音と水圧を調整できる静音及び調圧の多機能蛇口に関する。
【背景技術】
【０００２】
時代の進歩に従い人類は更に多くの水源を開拓し良質の蓄水装置を開発する術を理解してきた、井戸掘りからダム建設まで、生活の必要に応じて積極的に取水、貯水する方法を開拓し、近代化に伴い、人々は高い位置で蓄水施設を設置し、連通管の原理で蓄水を家まで送り込んで、給水の方法を更に便利且つヒューマナイズさせてきた。また水を配管を通じて家の中に送る時、水量の開閉は蛇口のハンドルによって行ない、また省エネルギーの理念で家庭用の蛇口に水量調節の機能が設計されている。
【０００３】
現在では種々の分野において、例えば特許文献１に開示されるような一体成形のボール弁蛇口が使用されている。このような蛇口は、ボール弁と、操作ハンドルと、固定ブロクと漏れ防止リンクとを具備し、補強リングは内部パーツであり、且つ一体成形のカバーにより構成されている。ボール弁は貫通穴を有し操作ハンドルと連動し、操作ハンドルの操作によってボール弁が回転し、貫通穴と流路が合わさった時、流体が貫通穴より流出し、貫通穴と流路が合わさらない時、流体が封じられる。拠ってボール弁と操作ハンドルは流量の開閉及び制御が可能になっている。
【先行技術文献】
【特許文献】
【０００４】
【特許文献１】台湾実用新案第０５８０９２号
【考案の概要】
【考案が解決しようとする課題】
【０００５】
しかしながら、特許文献１のボール弁蛇口は水量の開閉及び制御が出来るが、水の流量若しくは水圧が大きい時、水の流動で振動が発生し、その振動で配管と共鳴し、騒音の発生によって人の聴覚を損なう恐れがある為、本考案者は上記ボール弁蛇口の欠点に鑑みてなされたものであり、研究時間を重ね、様々な開発知識と項目を比較し、従来技術では水の流量と圧力で発生した騒音と振動を改善した静音及び調圧の多機能蛇口の提供を目的としている。
【０００６】
本考案は従来技術では水の流量を制御出来ないという欠点、及び圧力で起きた騒音と振動という欠点を改善目的としている。
【課題を解決するための手段】
【０００７】
本考案に係る静音及び調圧の多機能蛇口は、調節部と調節部に連通する流出部とを備え、調節部は導引パイプと流量弁を有し、導引パイプ内の両端に通る流路が設置され、流路が導引パイプの片側から反対側に縮減され、導引パイプの外周面に垂直の組穴が設置され、組穴が流路と相互に連通し、流量弁が組穴を介して流路内に挿入し導引パイプに設置され、且つ流量弁は流路の流量を制御する；流出部は流路の縮減される側に相互に連通され、または流出部が調節部の反対側に給水セットを有するものである。
【０００８】
本考案に係る静音及び調圧の多機能蛇口は、さらに下記の技術特徴がある：
【０００９】
前記流量弁に設置する通路が前記流量弁の回転位置を調整する調整溝によって導引パイプの流路を連通させたり塞いだりし、また流量弁の外周面の調整溝反対側に止め輪を設置し、流出部に設置するハンドルによって流量の開閉を調整するものである。
【００１０】
ハンドルは、十字型スイッチまたは横スイッチである。
【００１１】
流出部と給水セットに連結するナットをさらに設置し、ナットは通穴を設置し、且つナットの片側の通穴内壁に雌ネジを有し、ナットの内部に段差面を設けるによって雌ネジと連結し、ナットの反対側の外周に雄ネジを設置し、ナットの雌ネジにより流出部に螺合され、及び給水セットがナットの雄ネジによりナットに螺合するものである。
【００１２】
給水セットは、パッキンと、節水セットと、固定ナットとを備え、流出部と接続する調節部の反対側に設置する固定ナットが固定穴を設置され、節水セットとパッキンは固定穴内に設置し、パッキンが節水セットと流出部の間に介設されるものである。
【００１３】
給水セットは、パッキンと、節水セットと、固定ナットとを備え、固定ナットはナットの雄ネジと螺合され、且つ固定ナットは貫通する固定穴が設置され、節水セットとパッキンは固定穴内に設置され、パッキンが節水セットとナットの間に介設されるものである。
【００１４】
給水セットはホース連結チューブであり、ホース連結チューブの片側が流出部の片側と螺合されて反対側がホースと連結され、及びホース連結チューブと流出部の間に止水リングが設置されたものである。
【００１５】
給水セットはホース連結チューブであり、ホース連結チューブの片側がナットの雄ネジにより螺合されて反対側がホースと連結され、及びホース連結チューブとナットの間に止水リングが設置されたものである。
【００１６】
給水セットは長柄ホース連結チューブであり、長柄ホース連結チューブの両側に延伸される固定ナット部と給水部が長柄ホース連結チューブを中心軸として垂直に両側で設置され、固定ナット部は流出部と螺合され、また長柄ホース連結チューブと固定ナット部の間に止水リングが設置されたものである。
【００１７】
給水セットは長柄ホース連結チューブであり、長柄ホース連結チューブの両側に延伸される固定ナット部と給水部が長柄ホース連結チューブを中心軸として垂直に両側で設置され、雄ネジにより固定ナット部がナットと螺合される、且つナットと固定ナット部の間に止水リングが設置されたものである。
【００１８】
流出部２と調節部１は、一体成形または螺合方式として組み立てが出来るものである。
【考案の効果】
【００１９】
本考案に係る静音性及び調圧の多機能蛇口は上述の構成によって、水と配管の共振及び騒音も削減され、且つ使用者の必要によって給水セットを交換することもできる。
【００２０】
この為本考案は実用性と進歩性を有する考案であり、産業界より普及促進し、そして世間へ公開する価値がある。
【図面の簡単な説明】
【００２１】
【図１】本考案に係る組み立て状態斜視図である。
【図２】本考案に係る流量弁における通路の未連通状態を示す局部断面図である。
【図３】本考案に係る流量弁における通路の一部連通状態を示す局部断面図である。
【図４】本考案に係る流量弁における通路の連通状態を示す局部断面図である。
【図５】本考案に係る分解斜視図である。
【図６】本考案に係る第二スタイルの分解斜視図である。
【図７】本考案に係る第三スタイルの分解斜視図である。
【図８】本考案に係る十字型回転ハンドルの斜視図である。
【図９】本考案に係る流出部と調節部の一体成形斜視図である。
【考案を実施するための形態】
【００２２】
本考案にて達成する上記目的及び効果を説明する為、以下、本考案に係る静音性及び調圧の多機能蛇口に関して図面１から図面４を参照しながら説明を行う。本考案静音性及び調圧の多機能蛇口が調節部１と調節部１に連通する流出部２とを備え、調節部１は導引パイプ１１と流量弁１２を有し、導引パイプ１１内の両端に通る流路１１１が設置され、流路１１１が導引パイプ１１の片側から反対側に縮減され、導引パイプ１１の外周面に垂直する組穴１１２が設置され、組穴１１２が流路１１１と相互に連通し、流量弁１２が組穴１１２を介して流路１１１内に挿入し導引パイプ１１に設置され、且つ流量弁１２は流路１１１の流量を制御する；流出部２は流路１１１の縮減される側に相互に連通され、または流出部２が調節部１の反対側に給水セット３が設置されている；本考案が縮減された流路１１１と流量弁１２を利用し、流出部２の流量を制御し、水流の強度と圧力の制御によって振動や騒音を削減する（内容が本考案の第一実施例であり、既に請求項１の技術特徴を満した為、他の附属請求項が請求項１の詳細説明であり、そのものに何ら限定されるものではない）。
【００２３】
次は図面５を参照しながら説明を行う。流出部２より流出する流量を有効に流量弁１２にて制御する為、流量弁１２が通路１２１を設置し、且つ通路１２１が流量弁１２に貫通され、そして流量弁１２側に調整溝１２２が設置され、調整溝１２２が流量弁１２の向きを調整し、且つ調整溝１２２を調整することによって導引パイプ１１の流路１１１を連通させたり塞いだりする。(幼児に弄られない様に本考案調整溝１２２の設置が流量弁１２の底に位置することが好ましい)または流量弁１２の向きを調整する時、導引パイプ１１から外れない様に流量弁１２の外周面の調整溝１２２反対側に止め輪１２３が設置される。流出部２はハンドル２１を有し、ハンドル２１は流量の開閉を調整するものである。
【００２４】
次は図面２から図面４を参照しながら説明を行う。本考案は配管に流動している水による振動や騒音を削減する為、何かを用いて調整溝１２２を回転させ、流量弁１２の回転位置を制御する、流量弁１２が回転動作する際、流量弁１２に設置された通路１２１も徐々に流路１１１に連通され、そして配管の振動の削減ため、流路１１１に連通している通路１２１の空間を調整する必要がある、更に縮減された流路１１１の設置により流量が縮小され、そして通路１２１により流量を制限され、流出部２に過大な水流の流出が削減され、水流或いは過大な圧力による振動で配管への影響を防止する。
【００２５】
従来の蛇口は、ほとんど出水側が単純な給水機能しか具備されていない、本考案は使用者に異なる種類の給水セット３を提供する為、機能を取替える給水セット３が設置される。次に例を挙げて説明する：一種類目：図面１から図面２に示されるように、節水の理念を実践するため、給水セット３は、パッキン３１と、節水セット３２と、固定ナット３３とを備え、固定ナット３３が流出部２と連通する調節部１の反対側に設置され、且つ固定ナット３３が貫通固定穴３３１に設置されており、節水セット３２が固定穴３３１内に設置され、且つ節水セット３２が複数分流穴３２１を具備し、水流を分散によって節水の効果を達する、パッキン３１は固定穴３３１内に設置し、パッキン３１が節水セット３２と流出部２の間に介設される、固定ナット３３は螺合方式より流出部２と螺合され、そしてパッキン３１は固定ナット３３と流出部２の螺合箇所からの水漏れを防止する（本考案固定ナット３３と流出部２の組み立て方式は螺合方式で説明したが、それに限定されるものではない）。
【００２６】
二種類目：図面６に示されるように、特定場所で時には遠距離ところまで水を引導する場合がある、その時はホース４(例えば：水管、ゴム管など)を接続し水流を導引する、本考案の給水セット３はホース連結チューブ３４であり、ホース連結チューブ３４の片側が流出部２の螺合部３４１と螺合され、反対側がホース４を固定するの固定部３４２であり、固定部３４２が螺合部３４１から端末に縮減され、使用者よりホース４を固定部３４２に固定する、及びホース連結チューブ３４の螺合部３４１内に止水リング３４３が設置され、止水リング３４３の片面が流出部２と突き当たる、反対面が螺合部３４１と接する、ホース連結チューブ３４を取替えることによって、使用者が遠距離ところまで水を引導し使用できるようになった(本考案ホース連結チューブ３４と流出部２の組み立て方式は螺合方式で説明したが、それに限定されるものではない)
【００２７】
三種類目：図面７に示されるように、高所で設置した蛇口が流出部２より水を排出する際に水の乱散を防止する為、給水セット３は長柄ホース連結チューブ３５であり、長柄ホース連結チューブ３５がS型であり、長柄ホース連結チューブ３５の両側に固定ナット部３５１と給水部３５２が延伸され、且つ固定ナット部３５１と給水部３５２は長柄ホース連結チューブ３５を中心軸として垂直に両側で設置され、固定ナット部３５１が流出部２と連通する調節部１の反対側に設置され、及び固定ナット部３５１内に止水リング３５３を設置され、止水リング３４３の片面が流出部２と突き当たる、反対面が固定ナット部３５１と接する、これによって固定ナット部３５１と流出部２の螺合箇所より水漏れを防止する、長柄ホース連結チューブ３５の設置により流出の高さが下げられ、水の乱散を避ける（本考案長柄ホース連結チューブ３５と流出部２の組み立て方式は螺合方式で説明したが、それに限定されるものではない）
【００２８】
上記三種類の説明のように、給水セット３を直接で流出部２に螺合する以外、図面６に示されるように、流出部２と給水セット３を連結するナット５が設置され、ナット５が通穴５１が設置されてており、ナット５の片側通穴５１の内面に雌ネジ５１１が設置され、ナット５の内部に段差面５１２を設けることによって雌ネジ５１１と連結され、ナット５の雌ネジ５１１の片側が流出部２と螺合する、流出部２が段差面５１２と突き当たる、さらにナット５反対側の外周に雄ネジ５１３が設置され、雌ネジ５１１が流出部２に螺合する、給水セット３が雄ネジ５１３に螺合され、ナット５が給水セット３の長さを延長し流量を制限する。
【００２９】
時代の進歩に従い、人類は見た目を重視するようになった、本考案が異なる種類の蛇口を提供する為、機能を変更する以外、外観も変化性を与えている、図面１と図面８に示されるように、ハンドル２１は、十字型スイッチまたは横スイッチであり、且つ異なる種類の給水セット３も配合でき、またはナット５付きの蛇口に使用する（本考案ハンドル２１の外観が十字型スイッチまたは横スイッチに限定されるものではない）、図面９に示されるように、本考案の流出部２と調節部１の設置が一体成形の設置もでき、相互の螺合も出来ている。
【００３０】
以上述べたことは、本考案の実施例にすぎず、本考案の実施の範囲に限定するものではなく、本考案の実用新案登録請求の範囲に基づきなし得る同等の変化と修飾は、いずれも本考案の権利のカバーする範囲内に属するものとする。
【００３１】
総合すると、本考案の静音性及び調圧の多機能蛇口は、極めて良好な進歩性と実用性を有し、また国内外のこの分野の構造に係る技術資料において、同じ構造の存在は未だなく、ゆえに本考案は実用新案登録の要件を具備すると考え、ここに出願する次第である。
【符号の説明】
【００３２】
１  調節部
１１  導引パイプ
１１１  流路
１１２  組穴
１２  流量弁
１２１  通路
１２２  調整溝
１２３  止め輪
２  流出部
２１  ハンドル
３  給水セット
３１  パッキン
３２  節水セット
３２１  分流穴
３３  固定ナット
３３１  固定穴
３４  ホース連結チューブ
３４１  螺合部
３４２  固定部
３４３  止水リング
３５  長柄ホース連結チューブ
３５１  固定ナット部
３５２  給水部
３５３  止水リング
４  ホース
５  ナット
５１  通穴
５１１  雌ネジ
５１２  段差面
５１３  雄ネジ
【図１】
0003187887.tif 000003
【図２】
0003187887.tif 000004
【図３】
0003187887.tif 000005
【図４】
0003187887.tif 000006
【図５】
0003187887.tif 000007
【図６】
0003187887.tif 000008
【図７】
0003187887.tif 000009
【図８】
0003187887.tif 000010
【図９】
0003187887.tif 000011